(57)【要約】      （修正有）【課題】構造が簡単で反射光が均一となる太陽光発電集光装置の反射部を提供する。【解決手段】反射円筒１と第１円形セル２と第２円形セル３と台座４と上部反射板５と下部反射板６とを含む高効率太陽光発電の反射部であり、反射円筒は口部の直径が底部の直径より大きく、底部に第１円形セル及び第２円形セルを取り付け、かつ第１円形セルに対して第２円形セルが裏向けで固結され、第２円形セルが伸縮部材を通じて台座と連接し、台座両端に第２円形セルの受光面に対応して下部反射板を取り付け、台座がジャバラ管７を通じて上部反射板に連接し、下部反射板と対応する。反射円筒の口部には透光板が備わる。【選択図】図１
0003206999.tif 000002
【実用新案登録請求の範囲】
【請求項１】
反射円筒と第１円形セルと第２円形セルと台座と上部反射板と下部反射板とを含み、前記反射円筒が円筒状で、その口部の直径が底部の直径より大きく、前記反射円筒の底部に前記第１円形セル及び前記第２円形セルを取り付け、かつ前記第１円形セル及び前記第２円形セルの裏向けで固結され、前記第２円形セルが伸縮部材を通じて前記台座と連接し、前記台座両端に前記第２円形セルの受光面に対応して前記下部反射板を取り付け、前記台座がジャバラ管を通じて前記上部反射板に連接し、前記上部反射板が前記下部反射板の上方に位置し、前記下部反射板と対応し、前記反射円筒の口部に透光板が備わる
ことを特徴とする太陽光発電集光装置の反射部。
【請求項２】
前記透光板の表面に反射防止膜が備わる
請求項１に記載の太陽光発電集光装置の反射部。
【考案の詳細な説明】
【技術分野】
【０００１】
本考案は、太陽光エネルギー技術分野に関し、特に、太陽光発電の集光装置に関する。
【背景技術】
【０００２】
太陽光エネルギーは、クリーンで無尽蔵の再生可能エネルギーであり、太陽光エネルギーを十分開発して利用するのは、日増しに枯渇する一般エネルギーを節約し、深刻な資源不足問題を緩和できるだけではなく、汚染を減らして人間が生存に依存している生態系環境を保護できる。多くの太陽光エネルギー利用技術において太陽光発電技術は、直接太陽光エネルギーを電気エネルギーに変換することを実現し、最も便利な利用方式であり、運用が安全で信頼もでき、燃料不要、ノイズなし、汚染なし、ローカル利用可能、使用や保守に便利で、規模の大きさが調整可能等の利点を有するため、世界各国から重視されている。
【０００３】
この数年、中国の太陽光発電コンポーネントの生産量は、ほとんど毎年倍の速度で成長しているが、太陽光発電技術の開発及び利用のレベルが先進国より遥か低く、インド、ブラジル等の発展途上国に遅れている。中国には良好な太陽光エネルギーの資源及び太陽電池の製造能力を持っているにもかかわらず、太陽光発電産業の全体的なレベルと先進国との差はまた非常に大きく、１つ目は太陽電池に使用する結晶シリコン原料の生産が輸入に依存し、原料の不足が深刻で、現在、更に今後も非常に長期間におけるコスト削減の余地が比較的小さく、２つ目が太陽光発電システムの運用が幅広くない。
【０００４】
従来の太陽光発電の集光装置の構造は、フレネルレンズ集光器の集光が不均一で、大型放物面集光の製造難易度が大きく、Ｖ型集光器の集光倍数が低く、八面体集光器の４個の三角形ミラー集光が不均一といった欠点がある。
【０００５】
よって、上記の従来技術の問題点をどのように解決するかは、当業者が努力する方向性となっていた。
【考案の概要】
【考案が解決しようとする課題】
【０００６】
そこで、本考案は、上記の従来技術の不足点を完全に解決できる太陽光発電集光装置の反射部を提供することを目的とする。
【課題を解決するための手段】
【０００７】
上記目的を達成するため、本考案の太陽光発電集光装置の反射部は、反射円筒と第１円形セルと第２円形セルと台座と上部反射板と下部反射板とを含み、前記反射円筒が円筒状で、その口部の直径が底部の直径より大きく、反射円筒の底部に第１円形セル及び第２円形セルを取り付け、かつ第１円形セル及び第２円形セルの裏向けで固結され、第２円形セルが伸縮部材を通じて台座と連接し、台座両端に第２円形セルの受光面に対応して下部反射板を取り付け、台座がジャバラ管を通じて上部反射板に連接し、上部反射板が下部反射板の上方に位置し、下部反射板と対応する。
【０００８】
上記構造を採用すると、製造コストを削減するだけではなく、かつ２個のセルを結合して太陽光エネルギーを十分利用できるため、効率が高い。
【０００９】
一実施形態として、前記第１円形セルと第２円形セルの間に放熱板を設ける。この種の構造を採用すると、セルで発生した熱量を発散できるため、セルの寿命を延長する。
【００１０】
一実施形態として、前記第１円形セル及び第２円形セルは、いずれも熱伝導接着剤で放熱板上に接着される。この種の構造を採用すると、更に放熱効果を高めることができる。
【００１１】
一実施形態として、前記伸縮部材は、外筒と可動棒とを含み、外筒の底端が台座上に固定され、可動棒の頂端が第２円形セル上に固定され、可動棒の底端が外筒内に挿入し、外筒上の高さ方向に沿って若干の締め付け用ネジを設ける。
【００１２】
一実施形態として、前記伸縮部材は、リニアシリンダとする。この種の構造を採用すると、反射円筒の昇降位置を自動制御できる。
【００１３】
一実施形態として、前記反射円筒の円筒内壁は、１本の曲線を母線として用い、中心線を回して回転して得られた回転面であり、太陽光が該回転面によって反射された後第１円形セルの受光面に均一に照射できる。
【００１４】
一実施形態として、前記反射円筒の口部に透光板を取り付ける。透光板は、反射円筒を覆うことで外部環境の反射円筒内壁の反射膜及びセルに対する破壊を避けて装置の寿命を延長できる。
【００１５】
一実施形態として、前記透光板の表面には反射防止膜を設けている。この種の構造は、更に透光効果を高めることができる。
【００１６】
一実施形態として、前記反射円筒内壁は、真空直流スパッタリングを採用する。この種の技術を使用した反射膜は、比較的高い反射率を得ることができる。
【考案の効果】
【００１７】
従来技術に比べて、本考案の有益な効果は、構造が簡単で、設計が合理で、製造しやすく、コストが低廉で、太陽光エネルギーを十分利用でき、かつソーラーパネルに反射する光が均一である。
【図面の簡単な説明】
【００１８】
【図１】本考案の構成を示す説明図
【考案を実施するための形態】
【００１９】
以下、具体的実施例と添付図面を組み合わせて本考案について更なる説明を行う。
【００２０】
実施例１
図１に示すように、新型の高効率太陽光発電の集光装置は、反射円筒１と第１円形セル２と第２円形セル３と台座４と上部反射板５と下部反射板６とを含む。
【００２１】
前記反射円筒１が円筒状で、その口部の直径が底部の直径より大きく、反射円筒１の底部に第１円形セル２及び第２円形セル３を取り付け、かつ第１円形セル２及び第２円形セル３の裏向けで固結され、第２円形セル３が伸縮部材を通じて台座４と連接し、台座４両端に第２円形セル３の受光面に対応して下部反射板６を取り付け、台座４がジャバラ管７を通じて上部反射板５に連接し、上部反射板５が下部反射板６の上方に位置し、下部反射板６と対応し、太陽光を下部反射板６に反射でき、下部反射板６が太陽光を第２円形セル３の受光面に均一に反射する。
【００２２】
前記第１円形セル２と第２円形セル３の間に放熱板（図示せず）を設ける。前記第１円形セル２及び第２円形セル３は、いずれも熱伝導接着剤で放熱板上に接着される。
【００２３】
前記反射円筒１の円筒内壁は、１本の曲線を母線として用い、中心線を回して回転して得られた回転面であり、太陽光が該回転面によって反射された後第１円形セル２の受光面に均一に照射できる。かつ、前記反射円筒１内壁は、真空直流スパッタリング技術を使用して反射膜を形成する。
【００２４】
前記伸縮部材は、外筒８と可動棒９とを含み、外筒８の底端が台座４上に固定され、可動棒９の頂端が第２円形セル３上に固定され、可動棒９の底端が外筒８内に挿入し、外筒８上の高さ方向に沿って若干の締め付け用ネジ（図示せず）を設け、締め付け用ネジを通じて可動棒９を外筒８内に固定できる。
【００２５】
前記反射円筒１の口部に透光板１０を取り付け、かつ前記透光板１０の表面には反射防止膜を設けている。
【００２６】
使用の時、太陽光は、透光板１０を透過して反射円筒１内壁に照射し、反射を経た後第１円形セル２の受光面に均一に照射する。同時に、太陽光が上部反射板５にも照射し、上部反射板５によって光を下部反射板６に反射し、最後太陽光が下部反射板６によって反射した後第２円形セル３の受光面に均一に照射する。反射円筒１の昇降位置は、伸縮部材を通じて調整でき、上部反射板５の位置がジャバラ管７によって調整することで、最適な位置を保持できる。
【００２７】
実施例２
本実施例と実施例１との相違点は、前記伸縮部材がリニアシリンダである。この種の構造を採用すると、反射円筒１の昇降位置を自動制御できる。
【００２８】
以上、本考案の好ましい実施例について説明したが、本考案は上記実施例に限定されず、本考案の趣旨から逸脱しない範囲で、従来公知の技術を援用して適宜設計変更可能である。
【符号の説明】
【００２９】
１  反射円筒
２  第１円形セル
３  第２円形セル
４  台座
５  上部反射板
６  下部反射板
７  ジャバラ管
８  外筒
９  可動棒
１０  透光板
【図１】
0003206999.tif 000003